(57)【要約】【課題】  接続される音声・映像ソースに対する制御速度を向上させつつ、製造コストの増加を抑制できる「音声映像制御装置」を提供することを目的とする。【解決手段】  作動中の音声・映像ソースを制御する第１の制御部５７と、停止中の複数の音声・映像ソースを制御する第２の制御部５９と、を有する制御部２９と、前記第１の制御部と前記作動中の音声・映像ソースとを接続するとともに、前記第２の制御部と前記停止中の複数の音声・映像ソースとを選択的に接続する切替回路３１とを有する。【選択図】  図２
2008022094.tif 000002
【特許請求の範囲】
【請求項１】
作動中の音声・映像ソースを制御する第１の制御部と、停止中の複数の音声・映像ソースを制御する第２の制御部と、を有する制御部と、
前記第１の制御部と前記作動中の音声・映像ソースとを接続するとともに、前記第２の制御部と前記停止中の複数の音声・映像ソースとを選択的に接続する切替回路と
を有することを特徴とする音声映像制御装置。
【請求項２】
前記切替回路は、前記第１の制御部と前記作動中の音声・映像ソースとを１対１に接続することを特徴とする請求項１に記載の音声映像制御装置。
【請求項３】
前記切替回路は、前記第２の制御部と前記停止中の複数の音声・映像ソースとをポーリングによって選択的に接続することを特徴とする請求項１記載の音声映像制御装置。
【請求項４】
前記音声映像制御装置は前記第１の制御部を複数個有し、前記切替回路は複数の作動中の音声・映像ソースをそれぞれ複数の前記第１の制御部に接続することを特徴とする請求項１から３のいずれか一項に記載の音声映像制御装置。
【発明の詳細な説明】
【技術分野】
【０００１】
本発明は音声映像制御装置に関し、特に複数の音声・映像ソースを接続した場合に効率よく制御できる音声映像制御装置に関する。
【背景技術】
【０００２】
特許文献１に示すように、オーディオプロセッサ、システム管理ユニット及びユーザインタフェースである操作部（コマンダ）をバスラインで接続する音声制御装置に対し、さらに、複数の音声ソース（音声再生器）をバスラインで接続すると共に、各音声ソースの音声信号出力端子にオーディオプロセッサの音声信号入力端子をケーブルで接続するオーディオシステムが知られている。このようなオーディオシステムでは、操作部からの音声ソース切替信号に基づいてシステム管理ユニットが音声ソースのオン／オフを制御し、かつ、オーディオプロセッサの音声信号入力端子の選択を制御する。
【０００３】
例えば、ユーザが音声ソースの１つであるＦＭ／ＡＭチューナを起動したい場合には、操作部のＦＭ／ＡＭチューナキーを押下すると、操作部はシステム管理ユニットに対してＦＭ／ＡＭチューナの起動を要求する。システム管理ユニットは他の音声ソースが作動中である場合には、当該他の音声ソースをＯＦＦし、その後、ＦＭ／ＡＭチューナをオンして起動する。また、システム管理ユニットはオーディオプロセッサにＦＭ／ＡＭチューナが接続されている音声信号入力端子を選択させ、オーディオプロセッサはＦＭ／ＡＭチューナよりの音声信号に所定の信号処理を施して増幅装置に出力する。
【０００４】
また、複数の音声ソースのみからなるオーディオシステムに限られず、複数の音声・映像ソース（音声映像再生器）及び音声ソースと、これらを制御する音声映像制御装置とを備えるオーディオビジュアルシステムも知られている。例えば、図９はオーディオビジュアルシステム２００の一例を示す図であるが、図９に示すように、音声映像制御装置７３と、音声・映像ソース７５、７７、７９及び音声ソース８１とが制御用のバスライン８３、及び、バスライン８３とは別であって、音声信号または映像信号を通信する音声・映像通信路８５によってスター型に接続される。
【０００５】
上述したオーディオビジュアルシステム２００では、１つの音声映像制御装置７３に対し、複数の音声・映像ソース７５、７７、７９や音声ソース８１が対応しており、音声映像制御装置７３は制御の対象となる各音声・映像ソース７５等や音声ソース８１を順次切り替えてポーリングによって制御する。このようなオーディオビジュアルシステム２００は特に車載機器として使用され、例えば、音声映像制御装置７３に映像信号を出力する複数の表示手段、例えば、液晶ディスプレイ等を接続し、運転席や助手席の近傍にはフロント用の液晶ディスプレイを、後部座席の近傍にはリア用の液晶ディスプレイを配置することで、車の搭乗者全員が映像を楽しむことができる。
【特許文献１】特開平７−１９２４４４号公報
【発明の開示】
【発明が解決しようとする課題】
【０００６】
上述したように音声映像制御装置７３は音声・映像ソース７５等を制御するためにバスライン８３が使用されている。通常このような場合、複数の音声・映像ソースから出力される音声信号または映像信号の衝突を回避する制御が必要となるため、別途バスライン制御用の集積回路を構築する必要があるが、この構築によって音声映像制御装置７３の製造コストがかかってしまうという問題点があった。
【０００７】
また、バスライン８３を使用して複数の音声・映像ソース７５等を制御する場合、通信相手となる音声・映像ソース７５等がバスライン上のどの位置（アドレス）に接続されているかが不明であるという問題点もあった。このような場合には、音声映像制御装置７３に音声・映像ソース７５等を接続する複数の入力端子が形成されていれば、１つの入力端子に１つのバスライン８３を割り当て、一義的に音声・映像ソース７５等の接続位置を決定してしまうことも考えられる。しかしながら、ユーザが音声映像制御装置７３に音声・映像ソースを間違えなく確実に取り付ける必要があり、音声・映像ソース７５等の取り付けし易さという点においては好ましくなく、むしろ、どの入力端子にどの音声・映像ソース７５等を接続しても正常に動作する音声映像制御装置のほうが好ましい。
【０００８】
これらの問題点以外にも、複数の音声・映像ソース７５等や音声ソース８１を音声映像制御装置７３に接続する場合、それぞれ１：１になるようにバスラインを接続することも考えられるが、接続した数だけバスライン８３が必要となるため、製造コストが増加するという問題点もあった。さらに、音声映像制御装置７３と複数の音声・映像ソース７５等の接続関係が１：複数の関係を有しながら、ポーリングによって音声・映像ソース７５等を制御するため、音声映像制御装置７３が１つの音声・映像ソース７５と一度通信を終えた後、他の音声・映像ソース７７等を制御するため、次にその音声・映像ソース７５に通信する機会が訪れるまで処理時間がかかり、オーディオビジュアルシステム２００全体の処理速度をあげることが難しいという問題点もあった。
【０００９】
本発明は上述した問題点に鑑みてなされたものであり、接続される音声・映像ソースに対する制御速度を向上させつつ、製造コストの増加を抑制できる音声映像制御装置を提供することを目的とする。
【課題を解決するための手段】
【００１０】
上述した問題点を解決するために、本発明の音声映像制御装置は、作動中の音声・映像ソースを制御する第１の制御部と、停止中の複数の音声・映像ソースを制御する第２の制御部と、を有する制御部と、前記第１の制御部と前記作動中の音声・映像ソースとを接続するとともに、前記第２の制御部と前記停止中の複数の音声・映像ソースとを選択的に接続する切替回路とを有することを特徴とする。
【００１１】
作動中の音声・映像ソースを第１の制御部で制御するため、作動中の音声・映像ソースを高い制御速度で制御することができる。また、停止中の複数の音声・映像ソースに対して第２の制御部を設けることで音声・映像ソースごとに制御部や通信路を設ける必要がなくなり、製造コストの増加を抑制することができる。更に、停止中の複数の音声・映像ソースに対して第２の制御部を選択的に接続することで、停止中の複数の音声・映像ソースとの通信が維持できるため、例えば機器以上や割り込み要求があるかないかなどを確認することができる。
【００１２】
前記切替回路は、前記第１の制御部と前記作動中の音声・映像ソースとを１対１に接続する構成とすることができる。この構成により、前記第１の制御部と前記作動中の音声・映像ソースとの間で１：１の通信が可能となり、制御速度及び制御反応性の向上を図ることが可能となる。
【００１３】
また、前記切替回路は、前記第２の制御部と前記停止中の複数の音声・映像ソースとをポーリングによって選択的に接続する構成とすることができる。このような構成により、停止中の複数の音声・映像ソースに対しても通信を維持することができ、音声・映像ソースの機器異常等を確認することが可能となる。
【００１４】
また、前記音声映像制御装置は前記第１の制御部を複数個有し、前記切替回路は複数の作動中の音声・映像ソースをそれぞれ複数の前記第１の制御部に接続する構成とすることができる。このような構成により、２台以上の音声・映像ソースを同時に作動させることができる。
【発明の効果】
【００１５】
本発明によれば、接続される音声・映像ソースに対する制御速度や制御の反応性を向上させつつ、製造コストの増加を抑制できる音声映像制御装置を提供することができる。
【発明を実施するための最良の形態】
【００１６】
以下、本発明の実施の形態について、図面を参照して具体的に説明する。
【００１７】
（第１実施形態）
図１は、オーディオビジュアルシステムの一例を示す斜視図である。図１に示すように、オーディオビジュアルシステム１００は、音声映像制御装置１と、音声映像制御装置１に接続されるナビゲーションユニット３、地上デジタルテレビユニット５、ＨＤＤ（Hard Disc Drive）ビデオプレーヤ７及びポータブルオーディオビジュアルプレーヤアダプタ９とを備える。
【００１８】
ナビゲーションユニット３は、いわゆるカーナビゲーション装置であって、表示手段に表示される電子地図上に自車のマークを表示して、現在地を把握したり、経路検索及び誘導によって、目的地まで円滑に行くための手段を提供したりする機能を有する。地上デジタルテレビユニット５は、地上デジタル放送を受信し、表示手段に表示させる機能を有する。
【００１９】
ＨＤＤビデオプレーヤ７は、記録媒体（ハードディスク等）に記録される動画ファイルを再生処理によって映像として表示手段に表示させたり、表示手段に表示される映像を動画ファイルとして記録媒体に記録させたりする機能を有する。ポータブルオーディオビジュアルプレーヤアダプタ９は、ポータブルオーディオビジュアルプレーヤ１１を接続するための接続機器である。ポータブルオーディオビジュアルプレーヤアダプタ９に接続されたポータブルオーディオビジュアルプレーヤ１１は記録媒体（ハードディスク等）を有し、記録媒体に記録された圧縮動画ファイルを自身の表示部１３に表示させたり、操作部１５が操作されることによって当該圧縮動画ファイルを表示手段に表示させたりする機能を有する。
【００２０】
すなわち、上述したナビゲーションユニット３、地上デジタルテレビユニット５、ＨＤＤビデオプレーヤ７及びポータブルオーディオビジュアルプレーヤ１１は音声・映像ソースとしての機能を有しており、これらの機器から映像信号及び／又は音声信号が出力される。なお、映像・音声ソースは、映像信号、音声信号を出力する機能を有していれば、これらの機器に限るものでなく、またその数も限定されるものではない。以下において、音声映像制御装置１の外部に接続され、音声信号及び／又は映像信号を出力する機能を有する機器を単に音声・映像ソースという。
【００２１】
音声映像制御装置１は、上述した音声・映像ソースから出力される映像信号を映像として表示する液晶ディスプレイ等の表示部１７と、音声・映像ソースを操作する操作部１９と、を有する。また、音声映像制御装置１は、ＤＶＤ（Digital Versatile Disc）やＣＤ（Compact Disc）を駆動する図示しないＤＶＤ／ＣＤプレーヤと、ラジオ放送を受信する図示しないＡＭ／ＦＭチューナとを内蔵する。ＤＶＤ／ＣＤプレーヤは音声・映像ソースとしての機能を有しており、上述した音声・映像ソースと同様、出力する映像信号は表示部１７等によって映像として表示される。
【００２２】
一方、ＡＭ／ＦＭチューナは音声ソースとしての機能を有しており、上記の操作部１９によって操作され、音声信号が出力される。なお、音声ソースも音声信号を出力する機能を有していれば、これらの機器に限るものでなく、その数も限定されるものではない。以下において、音声映像制御装置１に内蔵され、音声信号及び映像信号を出力する機能を有する機器を単に内蔵型音声・映像ソースといい、音声映像制御装置１に内蔵され、音声信号を出力する機能を有する機器を単に内蔵型音声ソースという。
【００２３】
内蔵型を含む音声・映像ソースまたは内蔵型音声ソースから出力される音声信号は、音声映像制御装置１に接続される複数のスピーカ２１ａ、２１ｂ、２１ｃ、２１ｄから音声として出力される。これらのスピーカは、必要に応じて車内に適宜配置される。
【００２４】
音声映像制御装置１には、さらに、別体として外部に配置される外部表示装置２３が接続される。外部表示装置２３は、音声映像制御装置１の表示部１９に表示される映像信号と同期する映像信号を映像として表示したり、場合によっては、表示部１９に表示される映像信号とは別の映像信号を映像として表示したりする機能を有する。外部表示装置２３には、例えばヘッドホーン２５など音声信号を音声として出力する機器を任意に接続することが可能であって、上述したスピーカ２１ａ〜２１ｄに出力される音声信号と同期する音声信号を出力したり、場合によっては、スピーカ２１ａ〜２１ｄに出力される音声信号と別の音声信号を出力したりすることが可能である。
【００２５】
このように構成されたオーディオビジュアルシステム１００は、例えば車などに搭載することが可能である。オーディオビジュアルシステム１００が搭載された車では、運転席や助手席の近傍に音声映像制御装置１を配置して、その表示部１７に表示される映像を運転手や助手席の搭乗者が視聴することができ、また、外部表示装置２３を後部座席近傍に配置することで、外部表示装置２３に表示される映像を後部座席の搭乗者が視聴することができる。なお、外部表示装置２３はリモコン２７等による有線通信または無線通信によって操作が可能である。
【００２６】
次に上述した音声映像制御装置１について図面を参照して詳細に説明する。なお、図１に示される音声映像制御装置の各部と同様の構成には同一符号を付し、その説明を省略する。また、後述する図面についても同様とする。
【００２７】
図２は音声映像制御装置１のブロック図である。図２に示すように、音声映像制御装置１は、制御部２９と、制御部２９から出力される切替信号によって切替制御される制御通信路切替回路３１、映像切替回路３３及び音声切替回路３５とを備える。制御通信路切替回路３１は、音声映像制御装置１の外部に接続される一または複数の音声・映像ソース（例えば、ナビゲーションユニット３等）、または内蔵型音声・映像ソース（例えば、ＤＶＤ／ＣＤプレーヤ）３４を制御する際に使用する通信路を切り替える回路である。映像切替回路３３は上述した音声・映像ソースから音声映像制御装置１に入力される複数の映像信号から、表示部１７や外部表示装置２３に表示する映像信号を切り替える回路である。音声切替回路３５は上述した音声・映像ソースから音声映像制御装置１に入力される複数の音声信号、または、内蔵型音声ソース（例えば、ＡＭ／ＦＭチューナ）から出力される音声信号から、外部へ出力する音声信号を切り替える回路である。
【００２８】
また、音声映像制御装置１には、音声・映像ソースと接続するための複数の入力端子３７ａ、３７ｂ、３７ｃ、３７ｄが配置されている。それぞれの入力端子３７ａ、３７ｂ、３７ｃ、３７ｄからは入力端子３７ａ、３７ｂ、３７ｃ、３７ｄのそれぞれに接続される音声・映像ソースの音声信号及び映像信号が入力され、音声信号はすべて音声切替回路３５に入力し、映像信号はすべて映像切替回路３３に入力される。さらに、制御部２９は制御通信路切替回路３１及びこれらの入力端子３７ａ、３７ｂ、３７ｃ、３７ｄを経由して音声・映像ソースを制御する。
【００２９】
映像切替回路３３にはＯＳＤ（On Screen Display）３９を介して表示部１７が接続される。ＯＳＤ３９は、例えばＡＭ／ＦＭチューナ等、表示画面を持たない内蔵型音声ソース３６の周波数を表示部１７に表示させたり、ボリューム４１を操作した際にボリュームレベルを表示部１７に表示させたりする機能を有し、制御部２９によって制御される。音声切替回路３５にはボリューム４１を介して増幅部４３が接続される。ボリューム４１は音声切替回路３５から出力される音声信号の出力量を変更する機能を有し、制御部２９によって制御される。増幅部４３はボリューム４１から出力される音声信号を増幅する機能を有する。増幅部４３にはスピーカ用出力端子４５が接続され、増幅された音声信号を音声制御装置１の外部に接続されるスピーカ２１ａ、２１ｂ、２１ｃ、２１ｄへ出力する。
【００３０】
さらに、映像切替回路３３及び音声切替回路３５には後部座席用入出力端子４７が接続される。後部座席用出力端子４７には外部表示装置２３が接続され、音声・映像ソース、内蔵型音声・映像ソース３４や内蔵型音声ソース３６から出力される映像信号及び／または音声信号が後部座席用出力端子４７を経由して外部表示装置２３に出力される。外部表示装置２３に対してリモコン２７で操作されたリモコン操作信号は、後部座席用入出力端子４７から入力し、制御部２９に送信される。
【００３１】
制御通信路切替回路３１には、外部に配置される音声・映像ソース、内蔵型音声・映像ソース３４及び内蔵型音声ソース３６を制御するための制御信号を通信する第１の専用通信路４９、第２の専用通信路５１、汎用通信路５３が並列して制御部２９に接続される。第１の専用通信路４９及び第２の専用通信路５１には、それぞれ第１の専用制御信号及び第２の専用制御信号が通信し、汎用通信路５３には、汎用制御信号が通信する。第１の専用通信路５１及び第２の専用通信路５３は、内蔵型音声・映像ソース３６を含む作動中の１つまたは２つの音声・映像ソースに対して１：１に使用される通信路であって、作動中である音声・映像ソースが１つである場合には、第１の専用通信路４９のみが使用され、第１の専用制御信号によって作動中の音声・映像ソースが制御される。
【００３２】
また、２つの音声・映像ソースが作動中である場合には、一方が第１の専用通信路４９を通信する第１の専用制御信号によって制御され、他方が第２の専用通信路５１を通信する第２の専用制御信号によって制御される。なお、２つの音声・映像ソースが作動中である場合とは、例えば、運転席近傍に設置される音声映像制御装置１の表示部１７に表示される映像と、後部座席近傍に設置される外部表示装置２３の映像とを異ならせるようにする場合等である。
【００３３】
一方、汎用通信路５３は、停止中である内蔵型音声・映像ソース、音声・映像ソース、音声ソースを制御するために使用される通信路である。停止中である音声・映像ソース等と制御部２９とは頻繁に制御信号の通信が行われるが、停止中の音声・映像ソース等と制御部２９とは、さほど制御信号の通信は行われない。このような音声・映像ソース等と制御信号の通信が行われる場合には、例えば、装置異常や割込処理要求等がある。
【００３４】
装置異常とは、音声映像制御装置１の温度が異常に高くなり、音声映像制御装置１の破滅や発火の可能性が生じるような異常をいう。また、割込処理要求とは、例えば、テレビ電話機に着信があった場合に、音声映像制御装置１の表示部１７に表示されている映像信号を一時的に中断して、テレビ電話に切り替えたり、デジタルラジオ等に緊急放送が入った場合に、そのその放送映像や音声に切り替えたりすることをいう。
【００３５】
このように、音声映像制御装置１は作動中の音声・映像ソースに対しては第１の専用通信路４９または第２の専用通信路５１を使用して制御すればよく、停止中の音声・映像ソースに対しては汎用通信路５３を使用することで、接続される複数の音声・映像ソースの中から限定した音声・映像ソースに対してのみ制御信号を頻繁に送信すればよいことになる。このため、従来、１つ１つの音声・映像ソースに対して制御信号を送信していた場合よりも、高速に反応させることが可能となる。
【００３６】
さらに、上述した制御通信路切替回路３１について図面を参照して詳細に説明する。なお、以下の説明では、上述した専用通信路が１本のみの場合について説明し、専用通信路が２本の場合については第２実施形態において説明する。
【００３７】
図３は、制御部２９と制御通信路切替回路３１とが第１の専用通信路４９で接続される例を示すブロック図である。また、図４は、制御部２９と制御通信路切替回路３１とが汎用通信路５３で接続される例を示すブロック図である。図３及び図４では、音声・映像ソース６０ａのみが作動中であり、他の音声・映像ソース６０ｂ、６０ｃ、６０ｄは停止中である状態を示している。
【００３８】
図３及び図４に示すように、制御部２９は切替制御部５５と、第１の専用通信路制御部５７と、汎用通信路５９とを有し、また、制御通信路切替回路３１は、並列に配置された複数のスイッチＳＷ（Ｔ１）、ＳＷ（Ｒ１）、ＳＷ（Ｔ２）、ＳＷ（Ｒ２）、ＳＷ（Ｔ３）、ＳＷ（Ｒ３）、ＳＷ（Ｔ４）、ＳＷ（Ｒ４）を有する。
【００３９】
音声・映像ソース６０ａの出力側はスイッチＳＷ（Ｔ１）の一端に、入力側はスイッチＳＷ（Ｒ１）の一端に接続される。同様に、音声・映像ソース６０ｂの出力側はスイッチＳＷ（Ｔ２）の一端に、入力側はスイッチＳＷ（Ｒ２）の一端に接続される。音声・映像ソース６０ｃの出力側はスイッチＳＷ（Ｔ３）の一端に、入力側はスイッチＳＷ（Ｒ３）の一端に接続される。音声・映像ソース６０ｄの出力側はスイッチＳＷ（Ｔ４）の一端に、入力側はスイッチＳＷ（Ｒ４）の一端に接続される。そして、これらのスイッチは、音声・映像ソース６０ａ〜６０ｄが作動中であるか否かに応じて、制御部２１の切替制御部５５から出力される切替信号によって切り替えられる。
【００４０】
上述した第１の専用通信路４９は、第１の受信用専用通信路６１と第１の送信用専用通信路６３とから構成される。第１の受信用専用通信路６１は、音声・映像ソース６０ａ〜６０ｄから第１の専用通信路制御部５７に対して出力される第１の専用制御信号を通信する通信路であり、第１の送信用専用通信路６３は、第１の専用通信路制御部５７から音声・映像ソース６０ａ〜６０ｄに対し出力される第１の専用制御信号を通信する通信路である。
【００４１】
このように、作動中である音声・映像ソース６０ａは第１の専用通信路制御部５７に対しスイッチがＯＮとなるため、第１の専用通信路４９を通信する第１の専用制御信号の送受信が可能となるが、停止中である音声・映像ソース６０ｂ、６０ｃ、６０ｄは第１の専用通信路制御部５７に対しスイッチがＯＦＦであるために、第１の専用通信路４９を通信する第１の専用制御信号の送受信は行われないことになる。
【００４２】
一方、図４に示すように、汎用通信路５３は受信用汎用通信路６５と、送信用汎用通信路６７とから構成される。上述したように、作動中である音声・映像ソース６０ａは第１の専用通信路４９を通信する第１の専用制御信号によって制御が可能となるが、停止中である音声・映像ソース６０ｂ、６０ｃ、６０ｄは汎用通信路５３を通信する汎用制御信号によって制御が可能となる。
【００４３】
より詳しくは、スイッチＳＷ（Ｔ１）が受信用汎用通信路６５と、スイッチＳＷ（Ｒ１）が送信用汎用通信路６７との関係においてＯＦＦ状態となるため、音声・映像ソース６０ａと汎用通信路制御部５９との間では汎用制御信号の通信が行われないことになる。一方、例えば、スイッチＳＷ（Ｔ２）が受信用汎用通信路６５と、スイッチＳＷ（Ｒ２）が送信用汎用通信路６７との関係においてＯＮ状態となるため、音声・映像ソース６０ｂと汎用通信路制御部５９との間では汎用制御信号の通信が行われることになる。音声・映像ソース６０ｃ、６０ｄについても音声・映像ソース６０ｂと同様である。
【００４４】
図３及び図４を参照して説明したように、作動中である音声・映像ソース６０ａに対しては第１の専用通信路４９を介して専用制御信号の通信が行われ、停止中である音声映像ソース６０ｂ、６０ｃ、６０ｄに対しては、汎用通信路５３を介して制御信号の通信が行われる。したがって、従来のように１：１の制御通信路を順次切替えてすべての音声・映像ソースに対してポーリングをする制御に比べて、音声・映像ソースが作動中である場合と停止中である場合とで分離して制御することができるので、制御信号の反応速度を高速化することが可能となる。
【００４５】
次に、本発明の第１実施形態に係る音声映像制御装置１の動作について図５から図７を参照して説明する。
【００４６】
図５は、音声映像制御装置１の電源をＯＮとした場合の初期動作を示すフローチャートである。ユーザが音声映像制御装置１の操作部１９を操作したり、外部表示装置２３をリモコン２７で操作したりして音声映像制御装置１の電源がＯＮとなると、音声映像制御装置１は電源がＯＮとなった旨を検出する（Ｓ１０１）。その後、第１の専用通信路制御部５７が複数の音声・映像ソース、内蔵型音声・映像ソースまたは内蔵型音声ソースのいずれか１つと第１の専用通信路４９で接続されるように、切替制御部５５が制御通信路切替回路３１の各スイッチを切り替える（Ｓ１０２）。
【００４７】
次に、Ｓ１０２で接続された音声・映像ソース等に対して、第１の専用通信路制御部５７は「存在確認要求」信号を送信する（Ｓ１０３）。「存在確認要求」信号は、第１の専用通信路４９によって接続された音声・映像ソース等が反応するか否かを検知する信号である。そして、「存在確認要求」信号に対し、音声・映像ソース等から「存在確認応答」信号が出力され、第１の専用通信路制御部５７が受信した場合（Ｓ１０４；Ｙｅｓ）、「存在確認応答」信号を出力した音声・映像ソース等のアドレスを記憶する（Ｓ１０６）。
【００４８】
なお、第１の専用通信路制御部５７が音声・映像ソース等から「存在確認応答」信号を受信しなかった場合（Ｓ１０４；Ｎｏ）、所定の時間が経過するまで「存在確認応答」信号の受信を待ち続けるが（Ｓ１０５；Ｎｏ、Ｓ１０４）、所定の時間が経過すると（Ｓ１０５；Ｙｅｓ）、音声・映像ソース等は接続されていないものとみなし、その旨を記憶する（Ｓ１０７）。
【００４９】
Ｓ１０６及びＳ１０７の処理におけるソースアドレスの記憶は、例えば、図６に示すテーブル等によって記憶される。図６によれば、入力端子３７ａに音声・映像ソース６０ａが接続されていれば、ソースアドレスの該当する項目に当該音声・映像ソース６０ａのアドレスが記憶される。一方、入力端子３７ｂ等に音声・映像ソース６０ｂ等が接続されていない場合には、ソースアドレスの該当する項目には音声・映像ソース６０ｂ等が接続されていない旨を記憶する。
【００５０】
第１の専用通信路制御部５７は、上述したＳ１０２からＳ１０６またはＳ１０７の処理をすべての入力端子３７ａ〜３７ｄについて確認し（Ｓ１０８）、当該処理が終了していない場合には（Ｓ１０８；Ｎｏ）、確認の行われていない入力端子に対しＳ１０２からＳ１０６またはＳ１０７の処理を行う。そして、すべての入力端子３７ａ〜３７ｄについて音声・映像ソースの確認が終了すると（Ｓ１０８；Ｙｅｓ）、切替制御部５５は制御通信路切替回路３１、映像切替回路３３及び音声切替回路３５を初期設定の状態に切り替える（Ｓ１０９）。
【００５１】
具体的には、初期設定は、内蔵型音声ソース３６、例えば、ＡＭ／ＦＭチューナのみが運転席近傍で作動中であり、このような場合、切替制御部５５は、スピーカ用出力端子４５にのみ音声信号を出力し、後部座席用出力端子４７には音声信号を出力しないように音声切替回路３５を切り替える。また、内蔵型音声ソース３６から映像信号は出力されないため、音声映像制御装置１の表示部１７及び後部座席用出力端子４７に映像信号が出力されないように映像切替回路３３を切り替える。さらに、第１の専用通信路４９に内蔵型音声ソース３６と第１の専用通信路制御部５７との第１の専用制御信号が通信するように制御通信路切替回路３１を切り替える。
【００５２】
このように切り替えられた状態で、第１の専用通信路制御部５７は第１の専用通信路４９を介して内蔵型音声ソース３６に「電源ＯＮ」の要求信号を送信する（Ｓ１１０）。これによって、内蔵型音声ソース３６は電源がＯＮとなり、第１の専用通信路制御部５７と内蔵型音声ソース３６とは１：１に通信となる。そして、スピーカ２１ａ〜２１ｄから内蔵型音声ソース３６の音声信号が音声として出力されることとなる。
【００５３】
次に、内蔵型音声ソース３６が作動中である状態から音声映像制御装置１に接続される音声・映像ソース６０ａを作動開始するまでの処理について、図７に示すフローチャートを参照して説明する。
【００５４】
図７に示すように、制御部２９が操作部１９から操作信号を受信したり、外部表示装置２３からリモコン操作信号を受信したりすると（Ｓ２０１）、作動中の内蔵型音声ソース３６に対し第１の専用通信路４９を介して「電源ＯＦＦ」の要求信号を送信する（Ｓ２０２）。そして、制御部２９の切替制御部５５は制御通信路切替回路３１、映像切替回路３３及び音声切替回路３５の各回路を切り替える（Ｓ２０３）。
【００５５】
具体的には、音声・映像ソース６０ａは映像信号及び音声信号を出力するため、切替制御部５５は表示部１７に映像信号が出力されるように映像切替回路３３を切り替え、スピーカ用出力端子４５から音声信号が出力されるように音声切替回路３５を切り替える。また、切替制御部５５は、第１の専用通信路制御部５７と内蔵型音声ソース３６との通信から、第１の専用通信路制御部５７と音声・映像ソース６０ａとの通信になるように制御通信路切替回路３１を切り替える。なお、例えば、リモコン操作信号によって後部座席用出力用端子４７にも映像信号及び音声信号を出力する場合であれば、制御通信路切替回路３１、映像切替回路３３及び音声切替回路３５をそれに合わせて切り替えることも可能である。
【００５６】
このように制御通信路切替回路３１、映像切替回路３３及び音声切替回路３５が切り替えられた後、作動する音声・映像ソース６０ａに「電源ＯＮ」の要求信号を第１の専用通信路４９を介して送信する（Ｓ２０４）。これによって、音声・映像ソース６０ａは電源がＯＮとなり、第１の専用通信路制御部５７と音声・映像ソース６０ａとは１：１の通信となる。そして、表示部１７から音声・映像ソース６０ａの映像信号が映像として出力され、また、スピーカ２１ａ〜２１ｄから音声・映像ソース６０ａの音声信号が音声として出力されることとなる。
【００５７】
（第２実施形態）
次に、本発明の第２実施形態にかかる音声映像制御装置１について図面を参照して詳細に説明する。なお、第２実施形態における音声映像制御装置１は、第１実施形態で説明した音声映像制御装置１と、制御部２９及び制御通信路切替回路３１の構成において相違し、他の機能については第１実施形態で説明した機能と同様の機能を有する。
【００５８】
図８は、制御部２９と制御通信路切替回路３１とが第１及び第２の専用通信路４９、５１で接続される例を示すブロック図である。なお、図３に示す音声映像制御装置１の各部と同様の構成には同一符号を付し、その説明を省略する。図８に示すように、制御部２９は、切替制御部５５と、第１の専用通信路制御部５７と、第２の専用通信路制御部５８と、汎用通信路制御部５９とを備える。
【００５９】
第２の専用通信路制御部５８は、第１の専用通信路制御部５７と同様の機能を有し、入力端子３７ｂに接続される音声・映像ソース６０ｂを制御する。より詳しくは、第１実施形態で図２を参照して説明した第２の専用通信路５１を通信する第２の専用制御信号によって音声・映像ソース６０ｂを制御する。
【００６０】
第２の専用通信路５１は、第２の受信用専用通信路６９と、第２の送信用専用通信路７１とから構成される。第２の専用通信路制御部５８から出力される第２の専用制御信号は、第２の送信用専用通信路７１を通信し、スイッチＳＷ（Ｒ２）を介して音声・映像信号６０ｂに受信される。そして、音声・映像ソース６０ｂから出力される第２の専用制御信号は、スイッチＳＷ（Ｔ２）を介して第２の受信用専用通信路６９を通信し、第２の専用通信路制御部５８に受信される。
【００６１】
このように、第１の専用通信路制御部５７の他に第２の専用通信路制御部５８を制御部２９に設けることで、第１の専用通信路制御部５７を音声・映像ソース６０ａに、第２の専用通信路制御部５８を音声・映像ソース６０ｂにそれぞれ１：１で対応して制御することが可能となる。これによって、例えば、運転席近傍に配置される音声映像制御装置１の表示部１７には、音声・映像ソース６０ａの映像信号を映像として出力させ、後部座席近傍に配置される外部表示装置２３には、音声・映像ソース６０ａの映像信号を映像として出力させることが可能となる。そして、停止中の音声・映像ソース６０ｃ等は第１実施形態で説明した汎用通信路制御部５９によって制御されることになり、機器の異常なども検出することが可能である。
【００６２】
なお、上述した各機能ブロック、フローチャートの各処理は、ＣＰＵ、マイコン等の処理装置あるいはそこで実行されるプログラム等により実現される。また、本発明は、上述した第１実施形態及び第２実施形態に限定されるものではなく、その要旨を逸脱しない範囲内で種々変形して実施することが可能である。
【産業上の利用可能性】
【００６３】
以上、説明したように、本発明に係る音声映像制御装置では、接続される音声・映像ソースに対する制御速度や制御の反応性を向上させつつ、製造コストの増加を抑制できる音声映像制御装置を提供することができ、産業上の利用可能性が高い。
【図面の簡単な説明】
【００６４】
【図１】オーディオビジュアルシステムの一例を示す斜視図である。
【図２】音声映像制御装置のブロック図である。
【図３】制御部と制御通信路切替回路とが第１の専用通信路で接続される例を示すブロック図である。
【図４】制御部と制御通信路切替回路とが汎用通信路で接続される例を示すブロック図である。
【図５】音声映像制御装置の電源をＯＮとした場合の初期動作を示すフローチャートである。
【図６】入力端子とソースアドレスの関係を示すテーブルである。
【図７】音声・映像ソースを切り替えた場合の動作を示すフローチャートである。
【図８】制御部と制御通信路切替回路とが第１及び第２の専用通信路で接続される例を示すのブロック図である。
【図９】従来のオーディオビジュアルシステムの一例を示すブロック図である。
【符号の説明】
【００６５】
１、７３  音声映像制御装置
３  ナビゲーションユニット
５  地上デジタルテレビユニット
７  ＨＤＤビデオプレーヤ
９  ポータブルオーディオビジュアルプレーヤアダプタ
１１  ポータブルオーディオビジュアルプレーヤ
１３、１７  表示部
１５、１９  操作部
２１ａ、２１ｂ、２１ｃ、２１ｄ  スピーカ
２３  外部表示装置
２５  ヘッドホーン
２７  リモコン
２９  制御部
３１  制御通信路切替回路
３３  映像切替回路
３４  内蔵型音声・映像ソース
３５  音声切替回路
３６  内蔵型音声ソース
３７ａ、３７ｂ、３７ｃ、３７ｄ  入力端子
３９  ＯＳＤ
４１  ボリューム
４３  増幅部
４５  スピーカ用出力端子
４７  後部座席用出力端子
４９  第１の専用通信路
５１  第２の専用通信路
５３  汎用通信路
５５  切替制御部
５７  第１の専用通信路制御部
５８  第２の専用通信路制御部
５９  汎用通信路制御部
６０ａ、６０ｂ、６０ｃ、６０ｄ、７５、７７、７９  音声・映像ソース
６１  第１の受信用専用通信路
６３  第１の送信用専用通信路
６５  受信用汎用通信路
６７  送信用汎用通信路
６９  第２の受信用専用通信路
７１  第２の送信用専用通信路
８１  音声ソース
８３  バスライン
８５  制御通信路
１００、２００  オーディオビジュアルシステム
【図１】
2008022094.tif 000003
【図２】
2008022094.tif 000004
【図３】
2008022094.tif 000005
【図４】
2008022094.tif 000006
【図５】
2008022094.tif 000007
【図６】
2008022094.tif 000008
【図７】
2008022094.tif 000009
【図８】
2008022094.tif 000010
【図９】
2008022094.tif 000011